(57)【要約】 【課題】  目詰りの問題を解消した固液分離装置を提供する。【解決手段】  水受け容器１２内に周面及び底面に水抜孔１３１を多設した縦型円筒形の回転槽１３を回転自在に配置すると共に、回転槽１３を回転駆動する駆動部１５を付設してなる装置本体１と、処理対象液Ａに対応した大きさの網目を有すると共に、回転槽１３内に収納装着されるメッシュ袋２と、拡張収縮機構を有する外周板部４２を備え、メッシュ袋の上端内周に配置してメッシュ袋内周面を回転槽内周面に押圧する袋保持体４とを備えてなる。【選択図】図７
2019084475.tif 000002
【特許請求の範囲】
【請求項１】
周面及び底面に水抜孔を多設した縦型円筒形の回転槽内に、処理対象の液体と凝集物・固形分との分離が可能なメッシュ袋を入れ、回転槽の連続回転と処理対象物の連続供給によって、遠心力により凝集物・固形分を袋内周側に寄せて、水分を底面水抜孔から排出してなる固液分離方法。
【請求項２】
水受け容器内に周面及び底面に水抜孔を多設した縦型円筒形の回転槽を回転自在に配置すると共に、回転槽を回転駆動する駆動部を付設してなる装置本体と、処理対象液に対応した大きさの網目を有すると共に、回転槽内に収納装着されるメッシュ袋と、径方向への拡張収縮機構を有する外周板部を備え、メッシュ袋の上端内周に配置してメッシュ袋内周面を外周板部で回転槽内周面に押圧する袋保持体とを備えてなることを特徴とする固液分離装置。
【請求項３】
回転槽内に配置したメッシュ袋の中央に起立配置する筒状体を備えると共に、袋保持体に前記筒状体の嵌合連結部を設けてなる請求項２記載の固液分離装置。
【請求項４】
回転槽内に起立させる軸体と、装置本体において回転槽を跨ぐように装着固定して筒体内で起立する軸体の上方を保持する軸支持体を備えると共に、筒状体の内方中央の上下適宜箇所及び袋保持体の中央に前記軸体の軸受部を設けてなる請求項３記載の固液分離装置。
【発明の詳細な説明】
【技術分野】
【０００１】
本発明は、汚泥（凝集物）や固形分を含む処理対象水の固液分離方法及びその装置に関するものである。
【背景技術】
【０００２】
食品加工汚泥や下水道汚泥、さらには放射能汚染の湖底泥土等の処理においては当該物を含む処理対象水の固液分離が必要である。通常は処理対象水に凝集剤を加えて、固形分を凝集し、更に脱水処理して固液分離を行っている。
【０００３】
脱水処理には遠心脱水処理が広く行われており、例えば特許文献１に開示されているように縦置き円筒型フィルタを回転させて円筒形フィルタ内に投入した処理対象水（含水固形物）を遠心力によって水切りを行う装置が知られている。
【先行技術文献】
【特許文献】
【０００４】
【特許文献１】特開２００９−１４８６６５号公報。
【発明の概要】
【発明が解決しようとする課題】
【０００５】
縦置き円筒型フィルタを回転させての遠心式の固液分離は、水分がフィルタを通過して固形分はフィルタで阻止されることで固液分離がなされるが、固形分でフィルタの目詰まりが生ずると固液分離機能が失われ、当該フィルタから固形分の除去（固形分の分離）を行う必要があり、必ずしも効率的な固液分離手段とは言い難い。
【０００６】
そこで本発明は、フィルタの目詰まりの問題が生じない新規な手法を備えた装置を提案したものである。
【課題を解決するための手段】
【０００７】
本発明に係る固液分離方法は、周面及び底面に水抜孔を多設した縦型円筒形の回転槽内に、処理対象の液体と凝集物・固形分との分離が可能なメッシュ袋を入れ、回転槽の連続回転と処理対象物の連続供給によって、遠心力により凝集物・固形分を袋内周側に寄せて、水分を底面水抜孔から排出してなることを特徴とするものである。
【０００８】
処理対象液中の固形分（凝集物も含む）は、処理対象液に加わる遠心分離によって回転当初はメッシュ袋の周面において固液分離が行われるが、メッシュの目詰まりが生じても固形分は遠心力で周面側に押され、水分は底面から排出されることになり、目詰まり問題を解消した固液分離方法となったものである。
【０００９】
本発明に係る固液分離装置は、水受け容器内に周面及び底面に水抜孔を多設した縦型円筒形の回転槽を回転自在に配置すると共に、回転槽を回転駆動する駆動部を付設してなる装置本体と、処理対象液に対応した大きさの網目を有すると共に、回転槽内に収納装着されるメッシュ袋と、拡張収縮機構を有する外周板部を備え、メッシュ袋の上端内周に配置してメッシュ袋内周面を回転槽内周面に押圧する袋保持体とを備えてなることを特徴とするものである。
【００１０】
而して前記装置は、回転槽にメッシュ袋を入れ、メッシュ袋の上端内周に袋保持体を配置して外周板部を拡径してメッシュ袋を固定し、処理対象液をメッシュ袋内に注入し、回転槽の回転で、固形分をメッシュ袋の内周面に押し付け、水分を底面から排出して固液分離を行う。
【００１１】
また本発明に係る固液分離装置は、更に回転槽内に配置したメッシュ袋の中央に起立配置する筒状体を備えると共に、袋保持体に前記筒状体の嵌合連結部を設けてなり、筒状体を配置することで、処理対象液に含まれる固形分の遠心分離が効率的に行うことができる。
【００１２】
また本発明に係る固液分離装置は、更に回転槽内に起立させる軸体と、装置本体において回転槽を跨ぐように装着固定して筒体内で起立する軸体の上方を保持する軸支持体を備えると共に、筒状体の内方中央の上下適宜箇所及び袋保持体の中央に前記軸体の軸受部を設けてなり、軸体を筒状体及び袋保持体の軸受部に挿通して立設し、軸体の頂部を軸支持体で回転自在に保持することで、回転槽の回転時の首振りが防止される。
【発明の効果】
【００１３】
本発明の構成は上記のとおり、処理対象物の遠心脱水処理に際し、固形分を遠心力による内周面に偏らせ、水分を底面から排出することで、固形分による目詰まりが生ずることなく固液分離を行えるようにしたものである。
【図面の簡単な説明】
【００１４】
【図１】本発明の実施形態装置の前処理を行う凝集剤混入装置の説明図。
【図２】本発明の実施形態装置の説明図（装置本体へのメッシュ袋と筒体の組み込み）。
【図３】同袋保持体の説明図（平面図）。
【図４】同実施形態装置の説明図（袋保持体の組み込み）。
【図５】同図（軸体の組み込み）。
【図６】同図（軸支持体の組み込み）。
【図７】同図（各部材の組み込み終了状態）。
【図８】凝集剤混入装置と本発明の固液分離装置の組み合わせ説明図。
【発明を実施するための形態】
【００１５】
次に本発明装置の実施形態につて説明する。実施形態に示した固液分離装置は、装置本体１と、装置本体１に組み込むメッシュ袋２、筒状体３、袋保持体４、軸体５、軸支持体６で構成される。また固液分離装置の前処理に凝集剤混入装置７を使用する。
【００１６】
装置本体１は、脚枠１１で支持した水受け容器１２内に、回転槽１３を中空配置すると共に、回転軸１４で支持して回転自在とし、回転軸１４を回転駆動する駆動部１５を付設してなるものである。
【００１７】
特に回転槽１３は周面及び底面に水抜孔１３１を多設した縦型円筒形とし、水受け容器１２には排水管１２１を連結してなる。
【００１８】
メッシュ袋２は、処理対象液（凝集液・コロイド状の凝集物や固形分を含む）Ａにおける固形分などを濾過可能とした網目の袋体で、回転槽１３に対応する大きさとしたものである。
【００１９】
筒状体３は、メッシュ袋の中央に起立配置するもので、内部に後述する軸体５を保持する軸受部３１を縦中心位置に設けてなる。
【００２０】
袋保持体４は、中心板４１と回転槽１３の内周面に対応する外周面を備えた複数の外周板部４２を備え、中心板４１と同心で回動自在に設けた回動板４３と前記外周板部４２とを、中心板外周位置に軸支したリンク棒４４で連結し、外周板部４２に径方向の拡張収縮機能を有せしめたものである。更に筒状体３の上に嵌合する嵌合部４５を設け、中心板４１及び回動板４３の中心に軸受部４６を設けてなる。
【００２１】
軸体５は、回転槽１３の内寸高よりも長くしたものである。
【００２２】
軸支持体６は、回転槽１３の上方位置で跨ぐよう、端部を装置本体１に装着固定するもので、中央部分に軸保持部６１を設けたものである。
【００２３】
凝集剤混入装置７は、処理対象水Ｂに凝集剤Ｃを添加混合して処理対象水Ｂの除去対象物（固形分）を凝集させて、本発明装置で処理する処理対象液（凝集液）Ａとするもので、撹拌羽根７１を内装した撹拌槽７２を備え、撹拌槽７２における上方位置に排水部７３を備え、撹拌槽７２の底方に排出部７４を設け、排出部７４には本発明装置に処理対象液Ａに注送ポンプ７５を連結してなる。
【００２４】
而して処理対象水Ｂは、凝集剤Ｃと共に撹拌槽７２に供給され、撹拌羽根７１の撹拌作用によって処理対象水Ｂの固形分は凝集して沈下し、上澄み排水部７３から排出され、沈下した処理対象液Ａは、固液分離装置に送られる。
【００２５】
固液分離装置は、回転槽１３内にメッシュ袋２を入れて回転槽１３の内周面及び底面に密着させ、筒状体３をメッシュ袋２内の中心に起立載置し（図２、４）、外周板部４２を縮径した袋保持体４を、メッシュ袋２の上端内周に配置する。この際嵌合部４５を筒状体３の上端に嵌合し、回動板４３を回動して外周板部４２の外周面でメッシュ袋２を回転槽１３に押し付けて装着する。そうするとメッシュ袋２と筒状体３は回転槽１３内で固定する（図４，５）。
【００２６】
次に軸体５を各軸受部３１，４６に挿通して回転軸１４の延長上に立設し、軸体５の上端を立設し、軸体５の頂部を軸支持体６の軸保持部６１で回転自在に保持すると共に、軸支持体６を回転槽１３の外周に装置本体１に固定する。
【００２７】
而して処理対象液Ａを筒状体３の外周箇所であるメッシュ袋２内に注入し、回転槽１３を回転駆動する。この回転駆動で沈下する固形分は、メッシュ袋２の内周面に押し付け、られ、水分は底面から排出される。
【００２８】
従って固形分がメッシュ袋２の内周面に蓄積され、底面から水分の連続排出がなされるので、水分排出が固形分によって邪魔されず連続的な固液分離が可能となるものである。而も回転槽１３は、回転軸１４の延長上に位置する軸体５が装置本体１に固定されている軸支持体６で保持されるので、首振り回転が生ずることなく、安定した回転を行うことで安全な装置駆動を実現するものである。
【符号の説明】
【００２９】
１      装置本体
１１    脚枠
１２    水受け容器
１２１    排水管
１３    回転槽
１３１    水抜孔
１４    回転軸
１５    駆動部
２      メッシュ袋
３      筒状体
３１    軸受部
４      袋保持体
４１    中心板
４２    外周板部
４３    回動板
４４    リンク棒
４５    嵌合部
４６    軸受部
５      軸体
６      軸支持体
６１    軸保持部
７      凝集剤混入装置
７１    撹拌羽根
７２    撹拌槽
７３    排水部
７４    排出部
７５    注送ポンプ
【図１】
2019084475.tif 000003
【図２】
2019084475.tif 000004
【図３】
2019084475.tif 000005
【図４】
2019084475.tif 000006
【図５】
2019084475.tif 000007
【図６】
2019084475.tif 000008
【図７】
2019084475.tif 000009
【図８】
2019084475.tif 000010